(57)【特許請求の範囲】
【請求項１】
少なくとも身部及び足部を備えたフート・ウェアにおいて、
前記身部における脛骨及び腓骨の少なくとも一部を含む領域に対応する部分を周回し、当該周回位置に固定する第１の環状部と、
前記足部における中足骨の少なくとも一部を含む領域に対応する部分を周回し、当該周回位置に固定する第２の環状部と、
前記第１の環状部及び第２の環状部を足首の足甲側で連結して、前記第１の環状部及び第２の環状部の位置関係を保持する連結部と、
前記足部の足底部における前記第２の環状部及び足部の爪先部間であり、土踏まずに対応する部分に、コース方向の伸びがウェール方向の伸びと比較して小さく編成された支持部と、
を備えることを特徴とするフート・ウェア。
【請求項２】
前記請求項１に記載のフート・ウェアにおいて、
前記連結部が、地編糸に他の編糸を添えて給糸して、コース方向の伸びがウェール方向の伸びと比較して小さく編成され、
前記連結部が、一部の領域において前記他の編糸を給糸しない地編糸からなり、ウェール方向に延在する薄編部を備えることを特徴とするフート・ウェア。
【請求項３】
前記請求項１又は２に記載のフート・ウェアにおいて、
前記第１の環状部、第２の環状部及び連結部からなる領域の外縁に沿って編成され、当該第１の環状部、第２の環状部及び連結部に隣接する領域と比較して伸長率が低く、当該第１の環状部、第２の環状部及び連結部と比較して伸長率が高い緩衝部を備えることを特徴とするフート・ウェア。
【請求項４】
少なくとも身部及び足部を備えたフート・ウェアにおいて、
前記足部の足底部に配設され、コース方向の伸びが、前記足部の足甲部におけるコース方向の伸びと比較して小さく編成された支持部と、
前記足部の足底部の両側から足首背面側とを結んで環状として前記支持部に連結して配設し、当該配設方向の伸びを他の領域より抑制して編成される引き上げ支持部と、
を備えることを特徴とするフート・ウェア。
【発明の詳細な説明】
【技術分野】
【０００１】
この発明は、着用者の足の保護、保温又は装飾的な機能を果たすフート・ウェアに関するものであり、特に、着用者の歩行性を高めたフート・ウェアに関するものである。
【背景技術】
【０００２】
従来の靴下は、伸縮強度の異なる編成領域を有し、着用時、踵骨隆起部を覆う領域に伸縮強度の強い編成に編上げた難伸縮性領域を設け、該領域に隣接する踝側及び爪先側に夫々周設した、前記難伸縮性領域より伸縮強度の弱い編成に編上げた準難伸縮性領域が、距骨の上部で連結してなる（例えば、特許文献１参照）。
【先行技術文献】
【特許文献】
【０００３】
【特許文献１】特開２００９−４１１６２号公報
【発明の概要】
【発明が解決しようとする課題】
【０００４】
従来の靴下は、踵骨隆起部を覆う領域が難伸縮性領域であるために、歩行時に踵で着地する際の衝撃を難伸縮性領域で吸収することができず、着用者の足に負担が掛かるという課題があった。
【０００５】
この発明は、上述のような課題を解決するためになされたもので、歩行時における足首の振れ及び衝撃を軽減して安定した歩行をサポートすることができるフート・ウェアを提供することを目的とする。
【課題を解決するための手段】
【０００６】
この発明に係るフート・ウェアにおいては、身部における脛骨及び腓骨の少なくとも一部を含む領域に対応する部分を周回し、当該周回位置に固定する第１の環状部と、足部における中足骨の少なくとも一部を含む領域に対応する部分を周回し、当該周回位置に固定する第２の環状部と、第１の環状部及び第２の環状部を足首の足甲側で連結して、第１の環状部及び第２の環状部の位置関係を保持する連結部と、足部の足底部における第２の環状部及び足部の爪先部間であり、土踏まずに対応する部分に、コース方向の伸びがウェール方向の伸びと比較して小さく編成された支持部と、を備えるものである。
【０００７】
また、この発明に係るフート・ウェアにおいては、必要に応じて、連結部が、地編糸に他の編糸を添えて給糸して、コース方向の伸びがウェール方向の伸びと比較して小さく編成され、連結部が、一部の領域において他の編糸を給糸しない地編糸からなり、ウェール方向に延在する薄編部を備えるものである。
【０００９】
さらに、この発明に係るフート・ウェアにおいては、必要に応じて、第１の環状部、第２の環状部及び連結部からなる領域の外縁に沿って編成され、当該第１の環状部、第２の環状部及び連結部に隣接する領域と比較して伸長率が低く、当該第１の環状部、第２の環状部及び連結部と比較して伸長率が高い緩衝部を備えるものである。
【００１０】
また、この発明に係るフート・ウェアにおいては、足部の足底部に配設され、コース方向の伸びが、足部の足甲部におけるコース方向の伸びと比較して小さく編成された支持部と、足部の足底部の両側から足首背面側とを結んで環状として支持部に連結して配設し、当該配設方向の伸びを他の領域より抑制して編成される引き上げ支持部と、を備えるものである。
【発明の効果】
【００１１】
この発明に係るフート・ウェアにおいては、身部における脛骨及び腓骨の少なくとも一部を含む領域に対応する部分を周回し、当該周回位置に固定する第１の環状部と、足部における中足骨の少なくとも一部を含む領域に対応する部分を周回し、当該周回位置に固定する第２の環状部と、第１の環状部及び第２の環状部を足首の足甲側で連結して、第１の環状部及び第２の環状部の位置関係を保持する連結部と、足部の足底部における第２の環状部及び足部の爪先部間であり、土踏まずに対応する部分に、コース方向の伸びがウェール方向の伸びと比較して小さく編成された支持部と、を備えることにより、歩行時における、着用者の足首の振れを抑制して、内反捻挫を防止すると共に、着用者による安定した歩行をサポートして、着用者の足の疲労を軽減することができる。
また、この発明に係るフート・ウェアにおいては、着用者の土踏まずを押上げ、内側縦アーチの形成及び足指（親指）による後方に蹴り出す力をサポートして、着用者の歩行性を高めることができる。
【００１２】
また、この発明に係るフート・ウェアにおいては、必要に応じて、連結部が、地編糸に他の編糸を添えて給糸して、コース方向の伸びがウェール方向の伸びと比較して小さく編成され、連結部が、一部の領域において他の編糸を給糸しない地編糸からなり、ウェール方向に延在する薄編部を備えることにより、連結部近傍の屈曲部分におけるしわの発生を防止して、しわにより着用者の皮膚を挟む等による痛みの発生を防止することができる。
【００１４】
さらに、この発明に係るフート・ウェアにおいては、必要に応じて、第１の環状部、第２の環状部及び連結部からなる領域の外縁に沿って編成され、当該第１の環状部、第２の環状部及び連結部に隣接する領域と比較して伸長率が低く、当該第１の環状部、第２の環状部及び連結部と比較して伸長率が高い緩衝部を備えることにより、第１の環状部、第２の環状部及び連結部とこれらの領域に隣接する領域との編み立ての違いによる急激な着圧差を緩衝することができ、着用者に違和感を与えないようにすることができる。
【００１５】
また、この発明に係るフート・ウェアにおいては、足部の足底部に配設され、コース方向の伸びが、足部の足甲部におけるコース方向の伸びと比較して小さく編成された支持部と、足部の足底部の両側から足首背面側とを結んで環状として支持部に連結して配設し、当該配設方向の伸びを他の領域より抑制して編成される引き上げ支持部と、を備えることにより、歩行中の離床時における、フート・ウェアを着用した着用者の足裏を後方に引き付ける効果を高め、足指（親指）による後方に蹴り出す力をサポートして、着用者の歩行性を高めることができる。
【図面の簡単な説明】
【００１６】
【図１】（ａ）は本実施形態に係る左足用のソックスを左上側からみた左上側斜視図であり、（ｂ）は本実施形態に係る左足用のソックスを左下側からみた左下側斜視図である。
【図２】（ａ）は本実施形態に係る左足用のソックスの正面図であり、（ｂ）は本実施形態に係る左足用のソックスの平面図であり、本実施形態に係る左足用のソックスの背面図である。
【図３】（ａ）は本実施形態に係る左足用のソックスの左側面図であり、（ｂ）は本実施形態に係る左足用のソックスの底面図であり、本実施形態に係る左足用のソックスの右側面図である。
【図４】（ａ）はフィギュアエイト部による作用効果を説明するための説明図であり、（ｂ）は連結部による作用効果を説明するための説明図である。
【図５】３点歩行を説明するための説明図である。
【図６】（ａ）は第２の実施形態に係る左足用のソックスを左上側からみた左上側斜視図であり、（ｂ）は第２の実施形態に係る左足用のソックスを左下側からみた左下側斜視図である。
【発明を実施するための形態】
【００１７】
（本発明の第１の実施形態）
フート・ウェアは、足袋、くつ下及び脚胖に分類され、さらに、くつ下を大別すると、足部のみからなるフートカバー類、口ゴム部、身部及び足部の三部位からなるソックス類、身部がソックスよりも著しく長いストッキング類、並びに上部にパンティ部が付いたタイツ及びパンティ・ストッキング類に分類することができる。
すなわち、フート・ウェアは、足部、必要に応じて身部、口ゴム部又はパンティ部を、適宜備えることで、それぞれの用途目的に合った足の衣服となる。
【００１８】
以下、本実施形態においては、足部１、身部２及び口ゴム部３を備えたソックス１００を例に挙げて説明するが、この三部位を備えたソックス１００に限られるものではなく、少なくとも足部１及び身部２を備えたフート・ウェアであればよい。
【００１９】
図１乃至図３において、本実施形態に係るソックス１００は、丸編により編成された筒状編地のうち着用者の踵及び爪先に対応する部分を縫製加工してソックス形状とする構成である。
【００２０】
ソックス１００は、足部１、身部２及び口ゴム部３の三部に大別される。
足部１は、かかと成形部分であるかかと部１ａと、爪先成形部分である爪先部１ｂと、かかと部１ａ及び爪先部１ｂの成形線（ゴアライン）の先端を結ぶ線より上の部分である足甲部１ｃと、かかと部１ａ及び爪先部１ｂの成形線（ゴアライン）の先端を結ぶ線より下の部分である足底部１ｄとを備えている。
かかと上部補強部２ａは、かかと部１ａの上部でかかと部１ａの編成に移る前の補強部分である。
【００２１】
なお、本実施形態に係るかかと部１ａ、爪先部１ｂ及びかかと上部補強部２ａは、後述する平編・パイル編地２０で編成している。このように、生地の内側（着用者の体表と接する面）にタオルのようなループ状の編み目を加えているために、かかと部１ａ、爪先部１ｂ及びかかと上部補強部２ａに空気の層を作り出し、クッション性を高め、歩行時の衝撃を軽減している。また、ソックス１００の着用者が靴を履いた場合には、靴からのストレスを緩和する緩衝材の役割を果たすとともに、吸水性に優れ、着用者の汗を吸い取る役割も果たす。
【００２２】
ここで、平編地とは、編み目が連続して並び、表と裏の区別がある編地である。
また、平編・パイル編地２０とは、平編をなす地編糸に他の編糸（パイル糸）を添えて給糸し、地編糸を表面に、パイル糸を裏面に現すように地編糸とともにパイル糸を編み込み、パイル糸のシンカ・ループを拡大してリング状にパイルを出したパイル編からなる編地である。
【００２３】
第１の環状部４は、身部２における着用者の脛骨及び腓骨の少なくも一部を含む領域に対応する部分を周回し、当該周回位置に固定するように、コース方向の伸びがウェール方向の伸びと比較して小さく編成して構成している。
【００２４】
第２の環状部５は、足部１における着用者の中足骨の少なくとも一部を含む領域に対応する部分を周回し、当該周回位置に固定するように、コース方向の伸びがウェール方向の伸びと比較して小さく編成して構成している。
【００２５】
連結部６は、第１の環状部４及び第２の環状部５を着用者の足首の足甲側で連結して、第１の環状部４及び第２の環状部５の位置関係を保持するように、コース方向の伸びがウェール方向の伸びと比較して小さく編成して構成している。
【００２６】
この第１の環状部４、第２の環状部５及び連結部６からなる８の字形状の領域（以下、フィギュアエイト部７と称す）は、着用者の足関節を安定させ、歩行時における、着用者の足首の振れを抑制（ヒールロック）して、内反捻挫を防止すると共に、着用者による安定した歩行をサポートすることができるという作用効果を奏する。また、フィギュアエイト部７は、ウェール方向に伸びを持たせることで、着用者に対して適度なサポート感を生じさせる。
【００２７】
特に、連結部６は、コース方向の伸びを無くすことで、図４に示すように、ソックス１００を周方向でそれぞれ位置決めする第１の環状部４及び第２の環状部５に対して、長さ方向で位置決めして、第１の環状部４及び第２の環状部５の位置関係を一定に保ち、確実なヒールロックを行なうことができるという作用効果を奏する。
【００２８】
なお、本実施形態に係るフィギュアエイト部７は、後述する平編・添え糸編地２１と３タック編・平編・添え糸編地２２とで編成している。フィギュアエイト部７を平編・添え糸編地２１のみの編地とする場合に対して、３タック編・平編・添え糸編地２２をフィギュアエイト部７（第１の環状部４）に加えることで、着用者の足首に対するフィギュアエイト部７による締付力の調節と、フィギュアエイト部７によるアンカー（錨）としての機能（ソックス１００のずり下がり防止）の調節とを行なっている。
【００２９】
また、平編・添え糸編地２１及び３タック編・平編・添え糸編地２２は、平編地及びタック編地にウーリーナイロン糸を加えることで編地を補強し、フィギュアエイト部７による足首のサポート感を高めている。
ここで、平編・添え糸編地２１とは、平編の編地中に編み目を作らずにゴム糸及びウーリーナイロン糸（例えば、グレー糸）を編み込んだ挿入編からなる編地である。
【００３０】
また、タック編地とは、生地を編成するときに、一時ある編み目を作らないで、次のコースを編むときに一緒に編み目を作る編地である。なお、本実施形態においては、度目とのバランスを考慮して、タックする回数を１回、３回又は４回としているが、この回数に限られるものではなく、一般的な靴下であれば、７回までタックすることが可能である。また、以下の説明においては、タックする回数が１回の編地を１タック編地と称し、タックする回数が３回の編地を３タック編地と称し、タックする回数が４回の編地を４タック編地と称して説明する。
【００３１】
すなわち、３タック編・平編・添え糸編地２２とは、平編・添え糸編地２１を編成するときに、一時ある編み目を作らないで、次のコースを編むときに一緒に編み目を作るタック編を施した編地である。
【００３２】
薄編部８は、連結部６及び／又は第１の環状部４の一部にコース方向に延在する領域であり、連結部６及び／又は第１の環状部４における編地の厚みに対して、厚みを薄くした編地である。
【００３３】
なお、フィギュアエイト部７は、平編・添え糸編地２１と３タック編・平編・添え糸編地２２とからなる編地であるために、通常の靴下と比較して編地が厚くなり、ソックス１００の屈曲部分（着用者の足首の正面側）において円滑に屈曲せずに、しわが発生する。このしわの発生を防止するには、本来、ソックス１００の屈曲部分全体の編地を薄くするのがよいのであるが、ソックス１００の屈曲部分全体の編地を薄くすると、フィギュアエイト部７による足首の締付力を維持することができなくなる。
【００３４】
このため、薄編部８は、連結部６及び／又は第１の環状部４の一部にウェール方向に延在する領域とすることで、フィギュアエイト部７による足首の締付力を維持しつつ、ソックス１００の屈曲部分に生じるしわを逃すことができる。なお、図１においては、３つの薄編部８をコース方向に並設した場合を示しているが、連結部６近傍のソックス１００の屈曲部分におけるしわの発生を防止することができるのであれば、この数に限られるものではない。
【００３５】
また、本実施形態に係る薄編部８は、通気性のよい編組織である後述するメッシュ編地２３で編成しており、フィギュアエイト部７においてゴム糸及びウーリーナイロン糸を給糸しない地編糸からなる。
【００３６】
ここで、メッシュ編地２３とは、生地を編成するときに、一時ある編み目を作らないで、次のコースを編むときに一緒に編み目を作り、メッシュ形態の編みでよく伸びる編地である。
【００３７】
支持部９は、足部１の足底部１ｄにおける第２の環状部５及び爪先部１ｂ間であり、着用者の土踏まずに対応する部分に、コース方向の伸びがウェール方向の伸びと比較して小さく編成して構成している。なお、支持部９は、着用者の土踏まずに対応する部分の全領域に重畳することが理想であるが、本実施形態に係るソックス１００においては、第２の環状部５の面積を確保するために、着用者の土踏まずに対応する部分が、足底部１ｄにおける、支持部９及び第２の環状部５の一部に重畳する構成としている。
【００３８】
また、本実施形態に係る支持部９は、後述する４タック編・パイル風クッション編地２４で編成している。この４タック編・パイル風クッション編地２４は、足底のクッション性を高めると共に、着用者の踵から親指に重心が移動する理想的な体重移動の基盤となる。
【００３９】
ここで、理想的な体重移動とは、図５に示すように、歩行時に、足裏での重心が、踵の後ろ外側から始まり、外足側を前方に移動して小指付け根の関節まで移動する。そこで内足側に方向を変え中足趾節関節の列に沿って親指付け根の関節まで移動する。そして、もう一度前方に方向を変え、親指の先で終わる体重移動（以下、３点歩行と称す）をいう。
【００４０】
なお、２点歩行は、歩行時の地面からの衝撃を足裏全体で受け止めてしまい、足の疲れを招くうえに、歩行時の圧力を部分的に受けるために、たこや魚の目の原因となる恐れがある。これに対し、３点歩行は、歩行時の地面からの衝撃を吸収する歩行で、着用者の脚の疲労を抑制することができる。
【００４１】
このように、足底部１ｄにおける、爪先部１ｂ及びかかと部１ａ間に存在する支持部９及び第２の環状部５は、コース方向の伸びを無くすことで、着用者の内側縦アーチ（腫骨、距骨、舟状骨、第１楔状骨、第１中足骨及び趾骨を構成骨とするアーチ）の形成をサポートして、着用者の土踏まずを押し上げると共に、離床時における足指（親指）による蹴り出しをサポートして、十分な力で地面を蹴ることができ、着用者にとって歩き易くなる。
【００４２】
また、４タック編・パイル風クッション編地２４は、着用者の足裏の末梢を刺激して、新陳代謝が促進され、着用者の体温の上昇が期待できる。また、４タック編・パイル風クッション編地２４は、波型に交互に編み上げて、地編糸の平編部分から隆起して形成されることから、着用者の土踏まず部分の凹部を確実に当接支持し、着用感を向上させると共に、足の疲れを未然に防止することができる。
【００４３】
ここで、４タック編・パイル風クッション編地２４とは、４コース飛ばしのタック編をなす地編糸に他の編糸（ウーリーナイロン糸）を添えて給糸し、地編糸を表面に、ウーリーナイロン糸（例えば、オレンジ糸）を裏面に現すように地編糸とともにウーリーナイロン糸を編み込んだ編地であり、ウーリーナイロンを波型に交互に編み上げている。
【００４４】
緩衝部１０は、フィギュアエイト部７の外縁に沿って後述する１タック編・添え糸編地２５で編成され、フィギュアエイト部７に隣接する領域（かかと部１ａ、かかと上部補強部２ａ、後述するその他の領域１２及び柔軟部１３）と比較して伸長率が低く、フィギュアエイト部７と比較して伸長率の高い編地である。
【００４５】
この緩衝部１０は、フィギュアエイト部７とフィギュアエイト部７に隣接する領域との編み立ての違いによる急激な着圧差を緩衝することができ、着用者に違和感を与えないようにすることができるという作用効果を奏する。
【００４６】
ここで、１タック編・添え糸編地２５とは、１コース飛ばしのタック編をなす地編糸に他の編糸（ウーリーナイロン糸）を添えて給糸し、地編糸を表面に、ウーリーナイロン糸（例えば、サックス糸）を裏面に現すように地編糸とともにウーリーナイロン糸を編み込んだ添え糸編からなる編地である。
メッシュ部１１は、足甲部１ｃにおける略半円形状の領域であり、通気性のよい編組織である前述したメッシュ編地２３で編成している。
【００４７】
その他の領域１２は、足部１において、爪先部１ｂ、支持部９、緩衝部１０及びメッシュ部１１により囲まれた領域であり、後述するリブ編地２６で編成している。このリブ編地２６は、着用者の足に対するサポート力はありながら、横の伸びがしっかり有り、快適なフィット性が得られる。また、コース方向の伸びを無くしたフィギュアエイト部７に対して、コース方向の伸びを有し、着用者の足の動きに柔軟に対応することができる。
【００４８】
ここで、リブ編地２６とは、たて方向に表目のウェールと裏目のウェールとが交互に並ぶ編み目で、本実施形態においては、１ウェール毎に表目と裏目とを配列した１×１の編地である。
【００４９】
柔軟部１３は、身部２において、口ゴム部３及び緩衝部１０により囲まれた領域であり、口ゴム部３と共に、後述するアメリブ編地２７で編成している。このアメリブ編地２７は、柔軟性のある編地であり、着用者の爪先に対する口ゴム部３及び身部２による挿入口を広げ、ソックス１００を履き易くすることができる。
【００５０】
ここで、浮き編地とは、編地の編成中に特定の針を不作動位置に置いてその針には編糸を給糸しないで前の編み目を保持するだけにして、この部分の編糸を編地の裏に真直に浮かした編地である。これに対し、アメリブ編地２７は、平編地に編み込んだゴム糸を３コースにつき１コースを飛ばして編成した浮き編地である。
【００５１】
ソックス１００は、着用者の足の親指と親指以外の４つの指とを分けて爪先部１ｂに装着できるように、爪先部１ｂを２つに分割することで、歩行によるソックス１００の捩れや着用者の土踏まずに対する支持部９の位置ずれを防止するためのアンカー（錨）としての機能を持たせている。
【００５２】
なお、本実施形態においては、着用者の足の親指と親指以外の４つの足指とを分けて爪先部１ｂに装着できるように、爪先部１ｂを２つに分割しているが、歩行時に爪先部１ｂから足指が抜けることを防止できるのであればこの形状に限られるものではなく、足部１の爪先部１ｂを２以上に分割し構成してもよいし、親指に限らずに１つの足指と他の４つの足指とを分割し構成してもよいし、複数の足指と他の複数の足指とを分割し構成してもよい。
【００５３】
なお、本実施形態においては、平編、タック編、メッシュ編及びリブ編に用いられる地編糸として、綿５０％とエステル５０％とで配合され、太さ３０デニール、撚り本数１本及び編み本数２本からなる表糸、太さ３０デニールのポリウレタンの芯糸と太さ７５デニールのエステルの巻き糸とからなるカバーリング・ヤーンである裏糸を用いているが、この材質に限られるものではなく、表糸として、綿、毛(カシミヤ、ラム、アンゴラなど)、絹若しくは麻などの天然繊維、アクリルなどの化学繊維、又は吸汗、速乾若しくは体温調整機能を持つ素材などを、ソックス１００のコスト又は着用者のニーズに合わせて選択することが好ましい。また、裏糸として、ナイロン若しくはＦＴＹ、又は抗菌、防臭若しくは消臭素材を、ソックス１００のコスト又は着用者のニーズに合わせて選択することが好ましい。
【００５４】
また、平編・添え糸編地２１、３タック編・平編・添え糸編地２２、４タック編・パイル風クッション編地２４及び１タック編・添え糸編地２５におけるウーリーナイロン糸は、太さ１００デニール、撚り本数２本及び編み本数２本からなる。
【００５５】
また、平編・添え糸編地２１、３タック編・平編・添え糸編地２２及びアメリブ編地２７におけるゴム糸は、太さ２６０デニールのポリエーテル系の芯糸と太さ７５デニールのエステルの巻き糸とからなるカバーリング・ヤーンである。
【００５６】
なお、本実施形態に係るソックス１００においては、フィギュアエイト部７の編地を、タック編によって編み目数を変化させ、また添え糸編によって編地を補強することで、コース方向の伸びがウェール方向の伸びと比較して小さくなるように編成し構成しているが、ポリエステル系、ポリアミド系、ポリウレタン系、ポリエチレン系（高密度、低密度）又はエチレン酢酸ビニル系などの種類の樹脂を含浸させた糸によって、フィギュアエイト部７の編地を編成し構成することで、タック編又は添え糸編による編組織を用いることなく、コース方向の伸長率を縮小させることができ、同様の作用効果を奏することができる。
【００５７】
また、フィギュアエイト部７の編地に、伸びを防ぐための細幅の布地などでできたテープを縫付けることや、セロファン又はビニールなどのテープに接着剤を塗った粘着テープを貼り付けることでも、タック編又は添え糸編による編組織を用いることなく、コース方向の伸長率を縮小させることができる。
【００５８】
また、フィギュアエイト部７の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、タック編又は添え糸編による編組織を用いることなく、コース方向の伸長率を縮小させることができる。
【００５９】
フィギュアエイト部７の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。
【００６０】
なお、本実施形態に係るソックス１００の各編地における編み立ての強さ（伸縮率）は、「３タック編・平編・添え糸編地２２＞平編・添え糸編地２１＞１タック編・添え糸編地２５＞アメリブ編地２７≒リブ編地２６＞メッシュ編地２３」の大小関係にあるが、３タック編・平編・添え糸編地２２及び平編・添え糸編地２１が他の領域よりも編み立てが強いのであれば、この大小関係に限られるものではない。
【００６１】
以上のように、本実施形態に係るソックス１００においては、フィギュアエイト部７により、歩行時における、着用者の足首の振れを抑制し、内反捻挫を防止すると共に、着用者による安定した歩行をサポートして、着用者の足の疲労を軽減することができる。
【００６２】
また、本実施形態に係るソックス１００においては、連結部６に薄編部８を備えることにより、連結部６近傍の屈曲部分におけるしわの発生を防止して、しわにより着用者の皮膚を挟む等による痛みの発生を防止することができる。
【００６３】
また、本実施形態に係るソックス１００においては、足底部１ｄに支持部９を備えることにより、着用者が意識せずに３点歩行を行ない、踵から外足、小指から親指という順に地面に足がつくことが実感でき、着用者の歩行姿勢が改善されることとなる。これに伴い、着用者の背筋が伸び、膝の痛みや腰の痛みも緩和される。
【００６４】
さらに、本実施形態に係るソックス１００においては、フィギュアエイト部７の外縁に沿って緩衝部１０を備えることにより、フィギュアエイト部７とフィギュアエイト部７に隣接する領域との編み立ての違いによる急激な着圧差を緩衝することができ、着用者に違和感を与えないようにすることができる。
【００６５】
（本発明の第２の実施形態）
図６（ａ）は第２の実施形態に係る左足用のソックスを左上側からみた左上側斜視図であり、図６（ｂ）は第２の実施形態に係る左足用のソックスを左下側からみた左下側斜視図である。図６において、図１乃至図５と同じ符号は、同一または相当部分を示し、その説明を省略する。
【００６６】
引き上げ支持部１４は、足底部１ｄの左右両側から口ゴム部３下端及びかかと部１ａ上端間（以下、足首背面側と称す）を結んで環状として支持部９ａに連結し、長さ方向の伸びが幅方向の伸びと比較して小さく編成して構成している。なお、引き上げ支持部１４は、長さ方向の伸びを無くすことが好ましい。
【００６７】
また、引き上げ支持部１４内の全ての領域において、長さ方向の伸びが幅方向の伸びと比較して小さく編成して構成することが理想的であるが、ソックス１００は丸編により編成された筒状編地であり、引き上げ支持部１４は、足部１と身部２とに跨って延在しているために、引き上げ支持部１４内を同一の編組織によって編み上げると、足部１と身部２とにおいて長さ方向の伸びと幅方向の伸びとが異なってしまう。
【００６８】
このため、丸編により編成されたソックス１００においては、配設方向の伸びを他の領域より極力抑制するように編成して構成している。なお、この第２の実施形態においては、引き上げ支持部１４として、前述した３タック編・添え糸編地２２を足部１に用い、後述する鹿の子編・添え糸編地２８を身部２に用いている。
【００６９】
ここで、鹿の子編・添え糸編地２８とは、鹿の子編をなす地編糸に他の編糸（ウーリーナイロン糸）を添えて給糸し、地編糸を表面に、ウーリーナイロン糸を裏面に現すように地編糸とともにウーリーナイロン糸を編み込んだ添え糸編からなる編地である。
【００７０】
なお、引き上げ支持部１４を編成する３タック編・添え糸編地２２及び鹿の子編・添え糸編地２８は、前述したタック編地及び鹿の子編地にウーリーナイロン糸を加えることで引き上げ支持部１４の編地を補強すると共に、歩行中の離床時において引き上げ支持部１４が支持部９ａを強固に支持し、この支持部９ａによる足指（親指）の蹴り出す力を高めている。
【００７１】
また、身部２における引き上げ支持部１４にタック編を用いると、引き上げ支持部１４が長さ方向に伸びを生じる傾向がある。このため、身部２においては、引き上げ支持部１４に鹿の子編・添え糸編地２８を用いることで、タック編と比較して長さ方向の伸びを抑制し、引き上げ支持部１４により踵側に支持した状態で足指（親指）を後方に蹴り出す効果を奏するうえで効果的である。また、ソックス１００の着用者が靴を履いた場合には、身部２に対する靴からのストレスをウーリーナイロン糸がクッションとなり緩衝することができる。
【００７２】
また、引き上げ支持部１４は、口ゴム部３に連結することで、引き上げ支持部１４により踵側に支持した状態で足指（親指）を後方に蹴り出す効果をより高めることができるので好ましい。
【００７３】
支持部９ａは、足部１の足底部１ｄに配設され、コース方向の伸びが、足部１の足甲部１ｃにおけるコース方向の伸びと比較して小さく編成して構成している。特に、支持部９ａは、足部１の足底部１ｄにおける、ソックス１００の着用者の土踏まずに対応する部分に、コース方向の伸びがウェール方向の伸びと比較して小さく編成して構成している。
【００７４】
なお、第１の実施形態に係る支持部９は、第２の環状部５が存在するために、着用者の土踏まずに対応する部分の全領域に重畳することができなかった。これに対して、第２の実施形態に係る支持部９ａは、第２の環状部５が存在しないために、着用者の土踏まずに対応する部分の全領域に配設することができる。この支持部９ａは、引き上げ支持部１４及び爪先部１ｂ間のぼぼ全領域に介在され、引き上げ支持部１４によりかかと部１ａ側に支持された状態で足指（親指）の後方に蹴り出す力をさらに高めることができる。
【００７５】
その他の領域１２ａは、足部１及び身部２において、爪先部１ｂ、支持部９ａ、緩衝部１０、メッシュ部１１、柔軟部１３及び引き上げ支持部１４により囲まれた領域であり、前述したリブ編地２６で編成している。
なお、この第２の実施形態においては、鹿の子編・添え糸編地２８におけるウーリーナイロン糸は、太さ１００デニール、撚り本数２本及び編み本数２本からなる。
【００７６】
また、この第２の実施形態においては、引き上げ支持部１４の編地を、タック編や鹿の子編によって編み目数を変化させ、また添え糸編によって編地を補強することで、長さ方向の伸びが幅方向の伸びと比較して小さくなるように編成し構成しているが、ポリエステル系、ポリアミド系、ポリウレタン系、ポリエチレン系（高密度、低密度）又はエチレン酢酸ビニル系などの種類の樹脂を含浸させた糸によって、引き上げ支持部１４の編地を編成し構成することで、タック編、鹿の子編又は添え糸編による編組織を用いることなく、引き上げ支持部１４の長さ方向の伸長率を縮小させることができ、同様の作用効果を奏することができる。
【００７７】
また、引き上げ支持部１４の編地に、伸びを防ぐための細幅の布地などでできたテープを縫付けることや、セロファン又はビニールなどのテープに接着剤を塗った粘着テープを貼り付けることでも、タック編、鹿の子編又は添え糸編による編組織を用いることなく、引き上げ支持部１４の長さ方向の伸長率を縮小させることができるうえに、前述した引き上げ支持部１４における、足部１と身部２とにおいて長さ方向の伸びと幅方向の伸びとが異なってしまうという問題点を解決することができる。
【００７８】
さらに、引き上げ支持部１４の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、タック編、鹿の子編又は添え糸編による編組織を用いることなく、引き上げ支持部１４の長さ方向の伸長率を縮小させることができる。
【００７９】
また、引き上げ支持部１４の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。
【００８０】
以上のように、この第２の実施形態に係るソックス１００においては、長さ方向の伸びを無くした引き上げ支持部１４によって、歩行中の離床時に支持部９ａを後方に引き付けることで、足指（親指）による後方に蹴り出す力をサポートして、着用者の歩行性を高めることができる。
【符号の説明】
【００８１】
１      足部
１ａ    かかと部
１ｂ    爪先部
１ｃ    足甲部
１ｄ    足底部
２      身部
２ａ    上部補強部
３      口ゴム部
４      第１の環状部
５      第２の環状部
６      連結部
７      フィギュアエイト部
８      薄編部
９，９ａ      支持部
１０    緩衝部
１１    メッシュ部
１２，１２ａ    その他の領域
１３    柔軟部
１４    引き上げ支持部
２０    平編・パイル編地
２１    平編・添え糸編地
２２    ３タック編・平編・添え糸編地
２３    メッシュ編地
２４    ４タック編・パイル風クッション編地
２５    １タック編・添え糸編地
２６    リブ編地
２７    アメリブ編地
２８    鹿の子編・添え糸編地
１００  ソックス
【図１】
0005395567.tif 000002
【図２】
0005395567.tif 000003
【図３】
0005395567.tif 000004
【図４】
0005395567.tif 000005
【図５】
0005395567.tif 000006
【図６】
0005395567.tif 000007